(57)【要約】【課題】水栓器具に水，湯を供給するサプライ管を水栓器具に対してねじ込接続によらないで簡単な作業で接続できるとともに、接続したサプライ管を取り外す必要が生じたときに簡単これをなし得るサプライ管の接続構造を提供する。【解決手段】水栓器具の嵌入孔４２内にサプライ管１６の嵌入部４４を水密に嵌入させるとともに、サプライ管１６を挿通させ保持する保持孔６２及び水栓器具の掛止凹部６４に弾性的に掛止する掛止突部６０を有する抜止部材５６を水栓器具に固定してサプライ管１６の鍔部４６を支持するようになす。またその掛止突部６０には掛止凹部６４への掛止を解除する力を加えるための解除操作部６６を設けておく。【選択図】        図４
2005140246.tif 000002
【特許請求の範囲】
【請求項１】
水栓器具の嵌入孔内に、該水栓器具に対して水又は湯を供給するサプライ管の嵌入部を水密に嵌入させるとともに、該サプライ管を挿通させ保持する保持孔及び該水栓器具の内部に形成した掛止凹部に弾性的に掛止する掛止突部を有し、該サプライ管の外向きの鍔部を前記嵌入部とは反対側で支持する抜止部材を該掛止突部において該水栓器具に固定し、該サプライ管を該水栓器具に接続するようになした水栓器具へのサプライ管の接続構造において、
前記掛止突部には、前記掛止凹部への掛止を解除する力を加えるための解除操作部が設けてあることを特徴とする水栓器具へのサプライ管の接続構造。
【請求項２】
請求項１において、前記保持孔は前記抜止部材の外周面で開口する切欠形状をなしており、前記サプライ管を該抜止部材に対して側方から該保持孔内に挿入可能となしてあることを特徴とする水栓器具へのサプライ管の接続構造。
【請求項３】
請求項１，２の何れかにおいて、前記抜止部材が、前記サプライ管の鍔部を支持する支持部材と、前記掛止突部を有する該支持部材とは別体をなす掛止部材とを含んで構成してあることを特徴とする水栓器具へのサプライ管の接続構造。
【発明の詳細な説明】
【技術分野】
【０００１】
この発明は水栓器具に対して水又は湯を供給するサプライ管の水栓器具への接続構造に関する。
【背景技術】
【０００２】
水栓器具に対して水又は湯を供給するサプライ管の接続構造として、従来図１１に示すようなねじ結合による接続構造が用いられていた。
同図において２００は水栓器具、２０２は水又は湯を水栓器具２００に供給するためのサプライ管で上端部に雄ねじ部２０４と環状溝２０６が設けてあり、その環状溝２０６にシール材としてのＯリング２０８が装着されている。
【０００３】
この接続構造では、サプライ管２０２を水栓器具２００の嵌入孔２１０に嵌入し、雄ねじ部２０４を水栓器具２００に形成した雌ねじ部２１２にねじ込んで、水栓器具２００に接続する。
【０００４】
この接続構造においては、雄ねじ部２０４若しくは雌ねじ部２１２に接着剤を塗った上でサプライ管２０２を水栓器具２００に対してねじ込接続する。
その接続状態ではＯリング２０８が嵌入孔２１０の内面に弾性接触して、サプライ管２０２と水栓器具２００との間を水密にシールする。
この種のねじ込式によるサプライ管の水栓器具への接続構造については、例えば下記特許文献１に開示されている。
【０００５】
しかしながらこのねじ込式による接続構造の場合、接着剤を雄ねじ部２０４又は雌ねじ部２１２に塗る作業が必要であるとともに、接続の際にサプライ管２０２全体を何回も回転操作しなければならず、接続作業が面倒である上に、一旦サプライ管２０２を水栓器具２００に接続してしまうと、組付け直しの必要が生じた場合等においてサプライ管２０２を水栓器具２００から取り外すことが難しいといった問題があった。
【０００６】
このようなことから、ねじ結合によらないでサプライ管を水栓器具に接続するための接続構造が従来種々提案されている。
例えば下記特許文献２には、水栓器具への配管接続構造の発明が示され、そこにおいて水栓器具の嵌入孔内にサプライ管の嵌入部を嵌入させ、その状態で抜止部材を水栓器具に固定してサプライ管を水栓器具から抜止めし、サプライ管と水栓器具とを接続するようになした点が開示されている。
【０００７】
ここで抜止部材には、サプライ管を挿通させ保持する保持孔及び水栓器具の内部に形成した掛止凹部に弾性的に掛止する掛止突部とを設け、サプライ管に形成した外向きの鍔部を抜止部材により嵌入部とは反対側で支持しつつ、その抜止部材に設けた掛止突部を水栓器具の掛止凹部に掛止させて抜止部材自身を水栓器具に固定し、以ってサプライ管の水栓器具からの抜けを防止するようにしている。
【０００８】
また下記特許文献３にも、同じく保持部材（抜止部材）にてサプライ管の鍔部を支持し且つその保持部材を水栓器具に固定状態とすることによって、サプライ管を水栓器具に対し抜止状態に接続するようになした点が開示されている。
【０００９】
しかしながらこれら特許文献２，特許文献３に開示の接続構造では、一旦水栓器具に接続したサプライ管を水栓器具から取り外すことについては考えられておらず、サプライ管を取り外す必要が生じたときにその取外しが困難である問題がある。
【００１０】
例えばサプライ管の組付け直しやサプライ管と水栓器具との接続部分を水密にシールするＯリング等のシール部材が劣化したりしてシール機能が低下し、そのシール部材の取換えが必要となったとき、或いはサプライ管自体の取換えが必要となったりしたとき、また廃却に際してサプライ管と水栓器具とを分解する必要が生じたとき、水栓器具からのサプライ管の取外しが困難であるためにそれらの作業が困難である問題がある。
【００１１】
【特許文献１】特許第３３６３３１０号公報
【特許文献２】実開平６−７３５５８号公報
【特許文献３】特開２０００−１９３１１８号公報
【発明の開示】
【発明が解決しようとする課題】
【００１２】
本発明はこのような事情を背景とし、サプライ管を水栓器具に対してねじ込接続によらないで簡単な作業で接続することができるとともに、水栓器具に接続したサプライ管を取り外す必要が生じたときに簡単これをなすことのできるサプライ管の接続構造を提供することを目的としてなされたものである。
【課題を解決するための手段】
【００１３】
而して請求項１のものは、水栓器具の嵌入孔内に、該水栓器具に対して水又は湯を供給するサプライ管の嵌入部を水密に嵌入させるとともに、該サプライ管を挿通させ保持する保持孔及び該水栓器具の内部に形成した掛止凹部に弾性的に掛止する掛止突部を有し、該サプライ管の外向きの鍔部を前記嵌入部とは反対側で支持する抜止部材を該掛止突部において該水栓器具に固定し、該サプライ管を該水栓器具に接続するようになした水栓器具へのサプライ管の接続構造において、前記掛止突部には、前記掛止凹部への掛止を解除する力を加えるための解除操作部が設けてあることを特徴とする。
【００１４】
請求項２のものは、請求項１において、前記保持孔は前記抜止部材の外周面で開口する切欠形状をなしており、前記サプライ管を該抜止部材に対して側方から該保持孔内に挿入可能となしてあることを特徴とする。
【００１５】
請求項３のものは、請求項１，２の何れかにおいて、前記抜止部材が、前記サプライ管の鍔部を支持する支持部材と、前記掛止突部を有する該支持部材とは別体をなす掛止部材とを含んで構成してあることを特徴とする。
【発明の作用・効果】
【００１６】
以上のように本発明は、抜止部材における掛止突部に水栓器具の掛止凹部への掛止を解除する力を加える解除操作部を設けたもので、本発明によれば、水栓器具に接続したサプライ管を組み付け直す必要が生じたとき、或いはシール部材の交換その他接続部分のメンテナンスが必要となったり、サプライ管を取り換える必要が生じたとき、更には水栓器具とサプライ管とを分解する必要が生じたとき等において、簡単にサプライ管を水栓器具から取り外すことができ、サプライ管の組付け直しやメンテナンス作業、分解作業を容易に行うことができる。
【００１７】
本発明においては、上記抜止部材における保持孔を抜止部材の外周面で開口する切欠形状となし、サプライ管を抜止部材に対し側方から挿通孔内に挿入可能となしておくことができる（請求項２）。
このようにすれば、サプライ管を容易に抜止部材の保持孔に挿通状態とすることができ、ひいては水栓器具へのサプライ管の接続作業或いは取外しの際の作業をより容易なものとなすことができる。
【００１８】
本発明においてはまた、サプライ管の鍔部を支持する支持部材と、支持部材とは別体で上記掛止突部を有する掛止部材とを含んで上記抜止部材を構成しておくことができる（請求項３）。
このように抜止部材を互いに別体をなす支持部材と掛止部材とで構成して、機能分担させるようしておけば、抜止部材におけるサプライ管の鍔部の支持機能と、水栓器具への掛止機能の各機能をより高めることができる。
【００１９】
尚上記請求項１〜請求項３のそれぞれにおいて、上記の解除操作部は掛止突部の先端側に一体に形成しておくことができる。
【発明を実施するための最良の形態】
【００２０】
次に本発明の実施形態を図面に基づいて詳しく説明する。
図１〜図３において、１０はキッチンのカウンターで、１２は取付穴１４においてこのカウンター１０上に設置されたシングルレバー式の水栓器具（この例ではキッチン用の水栓器具）である。
１６はこの水栓器具１２に対して水，湯をそれぞれ供給するサプライ管で、それぞれの上端部が水栓器具１２に水密に接続されている。
【００２１】
水栓器具１２は水栓本体１８を有しており、この水栓本体１８から吐水管２０が延び出している。
また水栓本体１８の上部には操作レバー２２が上下及び左右に回動可能に設けられている。
【００２２】
吐水管２０はその基端が水栓本体１８の一部を成す円筒部２３に固定されている。
円筒部２３は水栓本体１８におけるボデー２４に対し回転可能に嵌合されており、吐水管２０がこの円筒部２３と一体に回転可能とされている。
【００２３】
図３において２６は水栓本体１８をカウンター１０に取付固定するための取付器具で、円筒状をなす台座金具２８と、リテーナ３０と、取付穴１４を挿通してそれらを連結するボルト３２とを含んでいる。
この取付器具２６は、ボルト３２の締込みによって、カウンター１０の上面に着座状態に設置される台座金具２８と、カウンター１０の下面に配置されるリテーナ３０とでカウンター１０を上下両側から挟み付け、カウンター１０に固定状態となる。
【００２４】
水栓本体１８は、その下部を取付器具２６の台座金具２８に外嵌させた状態で、その下部を挿通して台座金具２８の雌ねじ孔３４にねじ込まれた止ビス３６により、かかる台座金具２８を介しカウンター１０に回止め状態で固定される。
尚、３８は止ビス３６を内側に隠蔽する化粧リングである。
【００２５】
図４〜図６にサプライ管１６の水栓器具１２、具体的には水栓本体１８への接続構造が具体的に示してある。
これらの図において水栓本体１８、詳しくはボデー２４には水，湯の通路４０と、それらに連通して嵌入孔４２が形成されている。
一方、一対のサプライ管１６のそれぞれの上端部には嵌入部４４と、フランジ状の外向きの鍔部４６とが設けられており、その嵌入部４４が水栓本体１８の嵌入孔４２内に図中上向きに嵌入されている。
【００２６】
嵌入部４４には環状溝４８が設けられていて、そこにシール部材としてのＯリング５０が装着されており、このＯリング５０によって嵌入部４４と嵌入孔４２との間が水密にシールされている。
尚、水栓本体１８には図５にも示しているように座ぐり状の凹部５２が設けられており、そこにサプライ管１６の鍔部４６が収容されている。
【００２７】
尚、各鍔部４６には図４（Ｂ），図５に明らかに示しているように、外周部を一部切り欠いて成るストレート面状の係合面５４が形成されており、一対のサプライ管１６はそれら係合面５４を互いに係合させる状態で、後述の抜止部材５６により抜止状態に保持されている。
この結果、各サプライ管１６はそれぞれの軸心回りに回転不能な状態で水栓本体１２に接続されている。
【００２８】
抜止部材５６は、平面形状が円形をなすプレート状の支持部５８と、その外周部の３箇所から外向きに突出した弾性を有する掛止突部６０とを有している。
支持部５８には、これを板厚方向に貫通する一対の保持孔６２が設けられており、そこに一対のサプライ管１６のそれぞれが挿通状態に保持されている。
ここで各保持孔６２は、それぞれが支持部５８の外周面で開口するＵ字状の切欠形状とされている。
【００２９】
上記掛止突部６０は、図４（Ａ），図６（Ｂ）に示しているようにくの字状に突曲しており、抜止部材５６はこれら掛止突部６０を水栓本体１８の内周面に形成した環状の掛止凹部６４に弾性的に掛止させることによって、水栓本体１８に固定され抜止めされる。
【００３０】
この掛止突部６０は、図６（Ｂ）の部分拡大図に示しているように互いに逆向きをなす傾斜形状のカム面６８，７０を有しており、抜止部材５６を水栓本体１８に固定し、また取り外す際にそれらカム面６８，７０の作用で円滑にこれをなし得るようになっている。
【００３１】
本実施形態において、抜止部材５６には各掛止突部６０の先端側に、それら掛止突部６０から更に折れ曲がって延びる解除操作部６６が各掛止突部６０に一体に形成されている。
これら解除操作部６６は、掛止凹部６４に対する掛止突部６０の掛止を解除するための操作力を加える部分である。
【００３２】
次に本実施形態の作用を説明する。
この例の接続構造では、図５に示しているように抜止部材５６のＵ字切欠形状の保持孔６２に対して、一対のサプライ管１６のそれぞれを側方から挿入して保持孔６２を上下方向に挿通状態とし、その状態でサプライ管１６の嵌入部４４を水栓本体１８の嵌入孔４２に挿入するとともに、抜止部材５６を水栓本体１８に対して上向きに押し込む。
【００３３】
このとき３つの掛止突部６０がカム面６８の案内の下に一旦内方に弾性変形した後、掛止凹部６４に対向する位置に到ったところで再び弾性力で外方に広がって、それぞれが掛止凹部６４に対し軸方向、即ち上下方向に掛止した状態となる。
ここにおいて抜止部材５６が水栓本体１８に固定された状態となり、かかる抜止部材５６によって一対のサプライ管１６のそれぞれが水栓本体１８から抜止めされる。
【００３４】
このとき一対のサプライ管１６は、図４（Ａ）に示しているようにそれぞれのフランジ状の鍔部４６の下面が抜止部材５６の支持部５８によって下側から支持された状態、即ち鍔部４６が嵌入部４４とは反対側で支持された状態となり、水栓本体１８に対して抜止状態に固定される。
ここにおいて一対のサプライ管１６が水栓本体１８に対し水密に接続された状態となる。
【００３５】
また水栓本体１８に接続された一対のサプライ管１６のそれぞれは、各鍔部４６に形成された係合面５４の係合作用によって互いに回転方向に拘束され、回転不能な状態となる。
【００３６】
本実施形態では、水栓本体１８に固定した抜止部材５６を容易に水栓本体１８から取り外すことができる。
具体的には、解除操作部６６に対して内向きの力を加えることで、掛止突部６０のそれぞれを強制的に内向きに弾性変形させ、掛止凹部６４に対する掛止を解除することができる。
そして掛止を解除した状態で抜止部材５６全体を、水栓本体１８から下向きに取り出すことができる。
【００３７】
このとき、掛止突部６０は下側のカム面７０の作用で円滑に掛止凹部６４から下向きに抜き出される。
このようにして抜止部材５６を水栓本体１８から取り外した後、水栓本体１８に接続状態の一対のサプライ管１６を下向きに引くことで、容易に一対のサプライ管１６を水栓本体１８から取り出すことができる。
【００３８】
以上のような本実施形態によれば、水栓器具１２に接続したサプライ管１６を取外す必要が生じたとき、これを容易に行うことができる。
また本例においては、抜止部材５６の保持孔６２を切欠形状としてサプライ管を側方から挿入可能としてあるため、抜止部材５６の保持孔６２に容易にサプライ管１６を挿通状態に保持させることができ、ひいては水栓器具１２へのサプライ管１６の接続作業或いは取外しの際の作業を更に容易なものとすることができる。
【００３９】
図７は本発明の他の実施形態を示したもので、この実施形態は抜止部材５６全体を樹脂で構成し、そして支持部５８から弾性アーム７４を下向きに垂下させて、その弾性アーム７４の先端側にくの字状の掛止突部６０を設けた例である。
尚、掛止突部６０の更に先端側に解除操作部６６を一体に形成している点は上記実施形態と同様である。
【００４０】
図８は本発明の更に他の実施形態を示している。
この実施形態では、抜止部材５６を樹脂製且つ厚肉となし、その外周部に掛止凹部６４に弾性的に掛止する掛止突部６０を設けた上、更にその先端側に解除操作力を加えるための解除操作部６６を一体に形成している。
【００４１】
この実施形態では、抜止部材５６の下面が取付器具２６における台座金具２８の上面に近接した位置にあって、サプライ管１６を抜止部材５６にて水栓本体１８に固定し、その状態で水栓本体１８を取付器具２６にてカウンター１０に設置した後においては、抜止部材５６が取付器具２６の台座金具２８により下側から支えられる状態となるため、仮に掛止突部６０が掛止凹部６４から外れた場合であっても、抜止部材５６が台座金具２８を介してカウンター１０により支持されることによってサプライ管１６が水栓本体１８から外れることはない。
【００４２】
図８（Ｂ）は本発明の更に他の実施形態を示したもので、この実施形態では、上記実施形態と同じく樹脂製の抜止部材５６の掛止突部６０の更に先端側に、掛止突部６０の形状をそのまま延長した形態の解除操作部６６が、掛止凹部６４から下向きにはみ出す形態で一体に形成されている。
この実施形態では、解除操作部６６に工具等にて内向きの力を加えることで、掛止凹部６４に対する掛止突部６０の掛止を解除でき、抜止部材５６を水栓本体１８から取り出すことができる。
【００４３】
図９は本発明の更に他の実施形態を示している。
この実施形態では、抜止部材５６がサプライ管１６の鍔部４６を下側から支持する板状の支持部材７６と、掛止部材７８との分割構成とされている。
【００４４】
ここで支持部材７６には組付孔７９が形成されており、そこに掛止部材７８が弾性嵌合状態に組み付けられている。
掛止部材７８は、基板８０とこの基板８０から図中上向きに起立する複数の弾性アーム８２を有しており、そして各弾性アーム８２の先端側にくの字状に突曲した掛止突部８４が一体に形成されている。
各掛止部材７８は、支持部材７６への組付状態において水栓本体１８に形成した環状の掛止凹部７８に掛止し、これによって支持部材７６が掛止部材６４とともに水栓本体１８に固定されている。
【００４５】
尚、掛止部材７８の各掛止突部８４からは更に軸心方向に平行に延出部８６が延び出しており、これら延出部８６が、水栓本体１８に形成された掛止凹部６４よりも小径の凹部９０内に挿入されている。
【００４６】
本実施形態において、掛止部材７８の基板８０からは下向きに短い棒状の摘みが解除操作部６６として突出形成されている。
本実施形態では、この解除操作部６６を下向きに引張ると弾性アーム８２が内向きに弾性変形して掛止凹部６４に対する掛止突部８４の掛止が解除され、抜止部材７８が支持部材７６から下向きに抜き出される。ここにおいて支持部材７６によるサプライ管１６の鍔部４６の支持も解除され、サプライ管１６を水栓本体１８から外すことができる。
尚、掛止部材７８と支持部材７６とを一緒に下向きに引いてサプライ管１６の支持、即ち固定を解除するようにしても良い。
【００４７】
このように支持部材７６と掛止部材７８とを別体に構成して抜止部材５６を構成し、それぞれで必要な機能を役割分担させるようにすれば、抜止部材５６におけるサプライ管１６の鍔部４６の支持機能と、水栓器具１２への掛止機能の各機能をより高めることができる。
【００４８】
図１０は本発明の更に他の実施形態示している。
この実施形態においても、抜止部材５６を板状の支持部材９４と掛止部材９６との分割構成となしている。
この実施形態において、掛止部材９６は金属ばね線材を略円形に回曲させた弾性リングから成っており、図１０（Ｂ）に示しているように内向きに屈曲した一対の摘みを解除操作部６６としている。
【００４９】
そしてこれら解除操作部６６を除いた本体９８全体が、水栓本体１８に形成した環状の掛止凹部６４に弾性的に掛止し、水栓本体１８に固定されるようになっている。上記板状の支持部材９４は、この弾性リング状の掛止部材９６がその下側で水栓本体１８に固定されることによって、水栓本体１８に固定状態となる。
そしてこの支持部材９４が水栓本体１８に固定されることによって、サプライ管１６が鍔部４６において下側から支持された状態で水栓本体１８に接続状態となる。
【００５０】
この実施形態においては、解除操作部６６に互いに接近方向の力を加えることで、弾性リング状をなす掛止部材９６全体が弾性的に縮径変形し、水栓本体の掛止凹部６４に対する掛止が解除される。
ここにおいて掛止部材９６と支持部材９４とが水栓本体１０から取り外され、サプライ管１６が水栓本体１８から抜出可能となる。
【００５１】
以上本発明の実施形態を詳述したがこれらはあくまで一例示であり、本発明は上例以外の他の様々な形態で抜止部材及び解除操作部等を構成することが可能である等、本発明はその趣旨を逸脱しない範囲において種々変更を加えた形態で構成可能である。
【図面の簡単な説明】
【００５２】
【図１】本発明の適用対象である水栓器具の一例を示す正面図である。
【図２】図１の水栓器具の一部切欠側面図である。
【図３】図１の水栓器具を設置前の状態で示す一部切欠側面図である。
【図４】本発明の一実施形態のサプライ管の接続構造を、サプライ管接続状態で示す図である。
【図５】同実施形態の接続構造をサプライ管接続前の状態で示す分解斜視図である。
【図６】同実施形態の接続構造における抜止部材の単品図である。
【図７】本発明の他の実施形態を示す図である。
【図８】本発明の更に他の実施形態を示す図である。
【図９】本発明の更に他の実施形態を示す図である。
【図１０】本発明の更に他の実施形態を示す図である。
【図１１】従来のサプライ管の接続構造の一例を示す図である。
【符号の説明】
【００５３】
１２  水栓器具
１６  サプライ管
４２  嵌入孔
４４  嵌入部
５６  抜止部材
６０，８４  掛止突部
６２  保持孔
６４  掛止凹部
６６  解除操作部
７６，９４  支持部材
７８，９６  掛止部材
【図１】
2005140246.tif 000003
【図２】
2005140246.tif 000004
【図３】
2005140246.tif 000005
【図４】
2005140246.tif 000006
【図５】
2005140246.tif 000007
【図６】
2005140246.tif 000008
【図７】
2005140246.tif 000009
【図８】
2005140246.tif 000010
【図９】
2005140246.tif 000011
【図１０】
2005140246.tif 000012
【図１１】
2005140246.tif 000013